(57)【特許請求の範囲】
【請求項１】
映像信号の形態を判別する判別手段（１）と、
前記映像信号に含まれる水平同期信号が供給され当該水平同期信号を前記判別された映像信号の形態に応じて分周して駆動パルスを生成するパルス発生手段（４）と、
前記駆動パルスに同期して尖頭値が５００Ｖ以上のパルス状の高圧電力を生成するインバータ回路からなる高圧電力生成手段（５）と、
前記高圧電力によって発光する放電管からなる発光手段（６）と
を具備することを特徴とするバックライトの駆動装置。
【請求項２】
前記パルス発生手段は、
前記判別された映像信号の形態に応じて前記駆動パルスのパルス幅を変化させる
ことを特徴とする請求項１に記載のバックライトの駆動装置。
【請求項３】
前記判別手段は、
前記映像信号の同期周波数あるいは前記水平同期信号の周波数に基づいて前記映像信号の形態を判別する
ことを特徴とする請求項１あるいは請求項２の何れかに記載のバックライトの
駆動装置。
【請求項４】
判別手段において映像信号の形態を判別して当該映像信号が含む水平同期信号の周波数が高くなるに従って分周比が大きくなるように決定し、
パルス発生手段において前記判別手段によって決定された前記分周比に従って前記水平同期信号を分周して駆動パルスを生成し、
インバータ回路からなる高圧電力生成手段において、前記駆動パルスに同期した尖頭値が５００Ｖ以上のパルス状の高圧電力を生成し、
放電管からなる発光手段を前記高圧電力によって発光させる
ことを特徴とするバックライトの駆動方法。
【請求項５】
前記判別手段において前記分周比で分周された前記水平同期信号の周期に概ね比例したパルス幅を決定し、
前記パルス発生手段において、前記判別手段によって決定された前記パルス幅の前記駆動パルスを生成する
ことを特徴とする請求項４に記載のバックライトの駆動方法。
【発明の詳細な説明】
【０００１】
【発明の属する技術分野】
この発明は、液晶表示装置に用いられるバックライトの駆動装置および駆動方法に関する。
【０００２】
【従来の技術】
近年、ＬＣＤ（Ｌｉｑｕｉｄ  Ｃｒｙｓｔａｌ  Ｄｉｓｐｌａｙ：液晶表示装置）の応用範囲が広がり、テレビジョン受像機やビデオカメラのファインダー、あるいはコンピュータの表示装置等に多く用いられている。
【０００３】
また、現在これらの用途においては、画面の見易さ等の理由から、そのほとんどのものがバックライトを備えている。
【０００４】
このバックライトには、一般に蛍光管（放電管）が用いられており、放電に必要な高圧は、インバータ回路（交流発生回路）が映像信号の水平同期信号の供給を受けることによって発生している。これについては、例えば特開平３−１７０９１０号等にも示されているので、詳細な説明は省略する。
【０００５】
【発明が解決しようとする課題】
ところで、パーソナルコンピュータ（これ以降、単にコンピュータと称する）に用いられる画像ディスプレイには、様々な同期周波数のものがあり、この同期周波数は一般に表示画面の解像度（画素数）等によって決定される。
【０００６】
しかしながら前述のインバータ回路の各部は、特定の周波数の同期信号が入力された場合を想定して構成されている。このため、与えられる同期周波数が変化すると、発生電圧が変化するために蛍光管の発光輝度が変化したり電力の変換損失が増加してしまう。また、特定の部品に対する負担が増加するために、回路を構成する部品の寿命が短くなる等の不具合が発生する。
【０００７】
この発明は、このような背景の下になされたもので、異なる同期周波数の映像信号が入力されても、適切な周波数のインバータ回路の同期信号ならびに適切な蛍光管の駆動電力を得ることが可能であるバックライトの駆動装置および駆動方法を提供することを目的としている。
【０００８】
【課題を解決するための手段】
上述した課題を解決するために、請求項１に記載の発明にあっては、映像信号の形態を判別する判別手段と、前記映像信号に含まれる水平同期信号が供給され当該水平同期信号を前記判別された映像信号の形態に応じて分周して駆動パルスを生成するパルス発生手段と、前記駆動パルスに同期して尖頭値が５００Ｖ以上のパルス状の高圧電力を生成するインバータ回路からなる高圧電力生成手段と、前記高圧電力によって発光する放電管からなる発光手段とを具備することを特徴とする。
【０００９】
この発明によれば判別手段は映像信号の形態を判別し、パルス発生手段はこの形態に応じて映像信号に含まれる水平同期信号を分周することで、映像信号の形態に関係なくほぼ一定周期の駆動パルスを高圧電力生成手段に供給する。
【００１０】
また、請求項２に記載の発明によれば、請求項１に記載のバックライトの駆動装置では、前記パルス発生手段は、分周された前記水平同期信号の周期に概ね比例したパルス幅の駆動パルスを生成することを特徴とする。
【００１１】
この発明によればパルス発生手段は判別された映像信号の形態に応じて駆動パルスのパルス幅を変化させることで、ほぼ一定デューティ比の駆動パルスを高圧電力生成手段に供給する。
【００１２】
また、請求項３に記載の発明によれば、請求項１あるいは請求項２の何れかに記載のバックライトの駆動装置では、前記判別手段は、前記映像信号の同期周波数あるいは前記水平同期信号の周波数に基づいて前記映像信号の形態を判別することを特徴とする。
【００１３】
この発明によれば、判別手段は映像信号の同期周波数あるいは水平同期信号の周波数に基づいて映像信号の形態を判別することで、映像信号の形態に関係なくほぼ一定周期あるいはほぼ一定デューティ比の駆動パルスを高圧電力生成手段に供給する。
【００１４】
また、請求項４に記載の発明によれば、判別手段において映像信号の形態を判別して当該映像信号が含む水平同期信号の周波数が高くなるに従って分周比が大きくなるように決定し、パルス発生手段において前記判別手段によって決定された前記分周比に従って前記水平同期信号を分周して駆動パルスを生成し、インバータ回路からなる高圧電力生成手段において、前記駆動パルスに同期した尖頭値が５００Ｖ以上のパルス状の高圧電力を生成し、放電管からなる発光手段を前記高圧電力によって発光させることを特徴とする。
【００１５】
この発明によれば判別手段は映像信号の形態を判別して当該映像信号が含む水平同期信号の周波数が高くなるに従って分周比が大きくなるように決定し、パルス発生手段は映像信号に含まれる水平同期信号をこの分周比分周することで、映像信号の形態に関係なくほぼ一定周期の駆動パルスを高圧電力生成手段に供給する。
【００１６】
また、請求項５に記載の発明によれば、請求項４に記載のバックライトの駆動方法では、前記判別手段において前記分周比で分周された前記水平同期信号の周期に概ね比例したパルス幅を決定し、前記パルス発生手段において、前記判別手段によって決定された前記パルス幅の前記駆動パルスを生成することを特徴とする。
【００１７】
この発明によれば判別手段は分周された水平同期信号の周期に概ね比例したパルス幅を決定し、パルス発生手段はこのパルス幅の駆動パルスを生成することで、ほぼ一定デューティ比の駆動パルスを高圧電力生成手段に供給する。
【００１８】
【発明の実施の形態】
以下に図面を参照して本発明の一実施の形態について説明する。図１は、本発明の一実施の形態にかかるバックライトの駆動装置の構成を示すブロック図である。
【００１９】
図１において１は判別回路（判別手段）であり、一例として時定数を有するタイミング判定回路と、後述する分周比やパルス幅を決定する演算回路部あるいは参照テーブル（メモリ）等から構成されている。
【００２０】
この判別回路１には、図示しないＬＣＤの駆動回路に与えられる映像信号に含まれる水平同期信号Ｓｙｎｃが供給され、この水平同期信号Ｓｙｎｃの周波数に基づいて映像信号のモードを判別する。
【００２１】
２はパルス発生回路（パルス発生手段）であり、分周回路３と波形整形回路４とから構成されている。この分周回路３は、一例としてプログラマブルカウンタから構成され、水平同期信号Ｓyncを判別回路１によって指示された分周比で分周し、パルス信号Ｐ0を出力する。
【００２２】
波形整形回路４は、一例としてワンショットマルチバイブレータや時定数回路等から構成され、分周回路３が出力するパルス信号Ｐ０を、判別回路１によって指示されたパルス幅に整形し、駆動パルスＰｄを出力する。
【００２３】
５はゲート素子や昇圧トランス等（何れも図示省略）から構成されたインバータ回路である。この図示しないゲート素子は、駆動パルスＰｄに同期して図示しない昇圧トランスの１次巻き線に供給される直流電源を断続させる。
【００２４】
このため、上述の昇圧トランスの２次巻き線には、高圧が発生する。こうしてインバータ回路５は、高圧電力生成手段として尖頭値が５００Ｖ以上のパルス状の高圧電力を発生し、これが蛍光管（放電管）６に供給されて、発光手段として蛍光管６が発光する。
【００２５】
図２は、本実施の形態のバックライトの駆動装置に供給され得る映像信号の例を示す図である。同図に示すように本実施の形態には、複数の画面モードの映像信号の内、何れか１つが供給される。
【００２６】
例えば画面モードがＮＴＳＣモード（Ｎａｔｉｏｎａｌ  Ｔｅｌｅｖｉｓｉｏｎ  Ｓｙｓｔｅｍ  Ｃｏｍｍｉｔｔｅｅ方式、ただし本実施の形態においては、ノンインターレース変換したＮＴＳＣモードをさすものとする）の場合、有効走査線数が４６０本程度であることから縦ドット数は４６０、またアスペクト比（縦横比）が３：４であるために横ドット数は６１３となる。さらにこの場合、水平同期周波数は３１．４６ｋＨｚである。
【００２７】
一方ＳＶＧＡ（垂直同期周波数７５Ｈｚ時）モードの場合、縦横のドット数は各々６００と８００であり、水平同期周波数は４６．８７５ｋＨｚである。即ち、上述のＮＴＳＣモードの場合とは水平同期周波数が大きく異なる。
【００２８】
そこで判別回路１は図２に示すように、各画面モードの水平同期信号Ｓｙｎｃの周波数に応じて分周比を決定し、パルス発生回路２に供給する。分周回路３は、この分周比に従って水平同期信号Ｓｙｎｃを分周する。
【００２９】
例えば上述のＮＴＳＣモードの場合、分周回路３は判別回路１の決定に従って水平同期信号を１／２分周する。このため、分周回路３が出力するパルス信号Ｐ０は１５．７３ｋＨｚとなる。
【００３０】
一方ＳＶＧＡ（垂直同期周波数７５Ｈｚ時）モードの場合、分周回路３は判別回路１の決定に従って水平同期信号を１／３分周する。このため、分周回路３が出力するパルス信号Ｐ０は１５．６２５ｋＨｚとなる。
【００３１】
図３は、映像信号と水平同期信号の様子ならびにパルス信号Ｐ０の様子を示したタイミングチャートであり、図３（ａ）はＮＴＳＣモードの場合を示しており、図３（ｂ）はＳＶＧＡモードの場合を示している。
【００３２】
こうして、分周回路３が出力するパルス信号Ｐ０の周波数は、画面モードに関係なくほぼ一定（本実施の形態では１６ｋＨｚ前後）となり、インバータ回路５が同期周波数の変動により受ける負担が低減される。
【００３３】
さて判別回路１は、図２に示すように各画面モードの水平同期信号Ｓｙｎｃの周波数に応じてパルス幅（パルスオン時間）をも決定し、パルス発生回路２に供給する。波形整形回路４は、このパルス幅に従って駆動パルスＰｄを出力する。
【００３４】
例えば画面モードがＶＧＡ（垂直同期周波数８５Ｈｚ時）モードの場合、水平同期周波数は４８．２６９ｋＨｚである。しかし１／３分周されるために、分周回路３が出力するパルス信号の１周期は、およそ６２．２μ秒となる。またこの場合のパルス幅は９．０μ秒であるので、駆動パルスＰｄのデューティ比は約１：６．９となる。
【００３５】
一方画面モードがＳＶＧＡ（垂直同期周波数６０Ｈｚ時）モードの場合、水平同期周波数は３７．８７９ｋＨｚである。しかし１／２分周されるために、分周回路３が出力するパルス信号の１周期は、およそ５２．８μ秒となる。またこの場合のパルス幅は８．０μ秒であるので、駆動パルスＰｄのデューティ比は約１：６．６となる。
【００３６】
即ち、波形整形回路４が出力する駆動パルスＰｄのデューティ比は、画面モードに関係なくほぼ一定（本実施の形態では１：７．０前後）となり、蛍光管６の発光輝度が一定となる。
【００３７】
なお、上述の実施の形態において例に挙げて説明した画面モード（垂直同期周波数、水平同期周波数、縦ドット数あるいは横ドット数）、分周回路の分周比、駆動パルスの周波数やパルス幅あるいはインバータ回路が発生する高圧電力の電圧、その他各回路部の詳細等は一例であり、本発明はこれらの値や回路構成に限定されたものではない。
【００３８】
また、発光素子として挙げた蛍光管も一例であり、この他の放電管であってもよい。
【００３９】
さらに上述の実施の形態では、判別回路は水平同期信号の周波数に基づいて画面モードを判別する構成を示した。しかしこの他に、映像信号を生成する回路から画面モードを示す信号が供給される構成や、接続されるＬＣＤ等の表示装置から画面モードを示す信号が供給される構成、あるいは表示装置を接続するコネクタの形状や信号配列（ピン配列）に基づいて画面モードを判別する構成であってもよい。
【００４０】
【発明の効果】
以上説明したように、請求項１に記載の発明によれば判別手段は映像信号の形態を判別し、パルス発生手段はこの形態に応じて映像信号に含まれる水平同期信号を分周することで、映像信号の形態に関係なくほぼ一定周期の駆動パルスを高圧電力生成手段に供給する。
【００４１】
請求項２に記載の発明によればパルス発生手段は判別された映像信号の形態に応じて駆動パルスのパルス幅を変化させることで、ほぼ一定デューティ比の駆動パルスを高圧電力生成手段に供給する。
【００４２】
請求項３に記載の発明によれば、判別手段は映像信号の同期周波数あるいは水平同期信号の周波数に基づいて映像信号の形態を判別することで、映像信号の形態に関係なくほぼ一定周期あるいはほぼ一定デューティ比の駆動パルスを高圧電力生成手段に供給する。
【００４３】
請求項４に記載の発明によれば判別手段は映像信号の形態を判別して当該映像信号が含む水平同期信号の周波数が高くなるに従って分周比が大きくなるように決定し、パルス発生手段は映像信号に含まれる水平同期信号をこの分周比分周することで、映像信号の形態に関係なくほぼ一定周期の駆動パルスを高圧電力生成手段に供給する。
【００４４】
請求項５に記載の発明によれば判別手段は分周された水平同期信号の周期に概ね比例したパルス幅を決定し、パルス発生手段はこのパルス幅の駆動パルスを生成することで、ほぼ一定デューティ比の駆動パルスを高圧電力生成手段に供給するので、異なる同期周波数の映像信号が入力されても、適切な周波数のインバータ回路の同期信号ならびに適切な蛍光管の駆動電力を得ることが可能で、インバータ回が受ける負担が低減され、ビートがなく一定輝度で点灯するバックライトの駆動装置および駆動方法が実現可能であるという効果が得られる。
【図面の簡単な説明】
【図１】本発明の一実施の形態にかかるバックライトの駆動装置の構成を示すブロック図である。
【図２】同実施の形態のバックライトの駆動装置に供給され得る映像信号の例を示す図である。
【図３】同実施の形態における、映像信号と水平同期信号の様子ならびにパルス信号Ｐ０の様子を示したタイミングチャートである。
【符号の説明】
１  判別回路（判別手段）
４  波形整形回路（パルス発生手段）
５  インバータ回路（高圧電力生成手段）
６  蛍光管（発光手段）
【図１】
0003603462.tif 000002
【図２】
0003603462.tif 000003
【図３】
0003603462.tif 000004